(57)【特許請求の範囲】
【請求項１】
交換可能な記録媒体から映像信号を再生する再生モード及び前記記録媒体に記録される映像信号の所定区間を繰り返し再生するリピート再生モードへの動作モード移行のための単一の操作キーと、
動作モードとして前記再生モードが設定された場合に、前記リピート再生モード以外の動作モードへの変更を受付けず、前記リピート再生モードが設定された場合に、如何なる動作モードへの変更も受付けない動作ロック機構を備える再生装置であって、
前記動作ロック機構は、動作ロックスイッチを備え、前記再生モード及び前記リピート再生モードが設定される前又は後でも前記動作ロックスイッチによりオン・オフ可能であり、
前記再生モード中に前記動作ロック機構がオンに設定されている場合は、前記操作キーを入力することにより前記再生モードから前記リピート再生モードに移行できるようにしたことを特徴とする再生装置。
【発明の詳細な説明】
【０００１】
【発明の属する技術分野】
本発明は、小売店の店頭における商品宣伝用のＶＴＲ装置、または、コンビニエンスストアに設置され、店内の様子を録画する店内監視用のＶＴＲ装置等、特定の動作モードで使用する頻度が高く、且つその動作モードで使用している際には他の動作モードに移行する操作キーが制限されるロック機構を備えた再生装置に関する。
【０００２】
【従来の技術】
小売り店の店頭で商品宣伝用として使用されるＶＴＲ装置のなかには、テープ再生中に顧客が操作キーを入力してもＶＴＲの動作が停止したり又は他の動作モードへ移行したりしないようＶＴＲの動作をロックする為の動作ロックスイッチが設けられているものがある。
【０００３】
また、同様にして、コンビニエンスストア等に設置され、店内の様子を録画する店内監視用のＶＴＲ装置のなかには、店員が誤ってＶＴＲ本体又はリモートコントローラ等に触れて、ＶＴＲの動作を停止させてしまうのを防ぐために動作ロックスイッチが設けられ、録画中に誤った操作をした場合でもＶＴＲの動作が録画状態から解除されるのを防止しているものがある。
【０００４】
そして、このようなＶＴＲにおける動作ロックスイッチは、顧客が直接触れたり店員が誤って操作したりすることのないよう、本体の背面等、手の届きにくい箇所に設けられているのが一般的である。
【０００５】
【発明が解決しようとする課題】
ところが、このような動作ロックスイッチは、現在のＶＴＲの動作モードを維持させる為に、操作パネル又はリモートコントローラからの信号の受付けを禁止しているだけであり、例えば再生状態で動作ロックをかけたい場合には、ＶＴＲを一旦再生モードにした後に動作ロックスイッチをオンにする必要があり、また、録画状態で動作ロックをかけたい場合には、ＶＴＲを一旦録画モードにした後に動作ロックスイッチをオンにする必要があった。
【０００６】
従って、ロックをかけて再生又は録画を行う場合には、再生モード又は録画モードに設定した後に、動作ロックスイッチをオフからオンに切り換える必要があり、その操作が非常に煩わしかった。また、ビデオテープの排出、その他早送り、巻戻し等の動作を行う場合にも、動作ロックスイッチをオフにする必要があり、その度に動作ロックスイッチを操作する必要があった。
【０００７】
【課題を解決するための手段】
以上の問題を解決する為に、本発明に係る再生装置は、
交換可能な記録媒体から映像信号を再生する再生モード及び前記記録媒体に記録される映像信号の所定区間を繰り返し再生するリピート再生モードへの動作モード移行のための単一の操作キーと、
動作モードとして前記再生モードが設定された場合に、前記リピート再生モード以外の動作モードへの変更を受付けず、前記リピート再生モードが設定された場合に、如何なる動作モードへの変更も受付けない動作ロック機構を備える再生装置であって、
前記動作ロック機構は、動作ロックスイッチを備え、前記再生モード及び前記リピート再生モードが設定される前又は後でも前記動作ロックスイッチによりオン・オフ可能であり、
前記再生モード中に前記動作ロック機構がオンに設定されている場合は、前記操作キーを入力することにより前記再生モードから前記リピート再生モードに移行できるようにしたことを特徴とするものである。
【０００８】
【発明の実施の形態】
本発明の実施の形態につき、以下の実施例により説明する。
本発明の実施例に係る磁気記録再生装置は、再生モード、録画モード、リピート再生モード等の特定の動作モードに設定された時は、他の動作モードに移行する操作キーが制限されるロック機構を備えたことを特徴とするものである。
【０００９】
図１は、本発明の実施例に係る磁気記録再生装置の構成を説明する為のブロック図である。
ここで、ＶＴＲ本体１０は、その背面に設けられた動作ロックスイッチ１、ユーザからの操作指示が入力される操作パネル２、操作パネル２からの操作信号及び動作ロックスイッチ１の切換状態に基づき動作制御回路４に対して動作制御信号を出力するマイコン３、マイコン３からの動作制御信号に基づきＶＴＲを再生状態、録画状態またはその他の状態に制御する動作制御回路４により構成され、動作制御回路４における動作状態は、常にマイコン３にフィードバックされている。なお、ここでは図示しないが、リモートコントローラにて入力される操作指示も操作パネル２にて入力される操作指示と同様に処理される。
【００１０】
以上のように構成されるＶＴＲ本体１０では、操作パネル２にて入力される操作指示に基づきマイコン３が動作制御回路４を制御するが、動作ロックスイッチ１がオンとされた状態において操作パネル２にて再生モード、録画モード、リピート再生モードのいずれか１つのモードが一旦設定されると、操作パネル２にて入力されるそれ以降の操作指示が制限される。
【００１１】
なお、操作パネル２には、再生モード、録画モード、リピート再生モードを設定する為の操作キーを別々に設けても良いが、ここでは、再生モードと録画モードを設定する為の操作キーのみ設け、リピート再生モードは、再生モードを設定する為の操作キーを所定時間以上入力し続けることにより設定可能とした。
【００１２】
以下に再生モード、録画モード、リピート再生モードでの動作及び各モードで動作がロックされた状態を説明する。
まず、図２（ａ）に示す再生モードとは、磁気テープから映像信号を再生するモードである。
この再生モードにより動作ロックを行う場合は、まず、動作ロックスイッチ１をオンにした後に、操作パネル２により再生指示を行う。ＶＴＲ本体１０は動作ロックがかけられたまま再生を行う為、再生状態で操作パネル２にて例えば停止指示が入力されてもその時の操作指示は受付けられない。
【００１３】
但し、後述の如く、再生モードを設定する為の操作キーが所定時間以上入力された場合には、動作モードが再生モードからリピート再生モードへと移行するよう構成されている。
【００１４】
そして、再生モード時に、再生しているビデオテープがテープ終端まで達するとその状態で動作ロックが解除されると同時にテープ始端まで巻戻しが行われ、その後に停止する。この停止状態では、動作ロックが解除されている為、ユーザはビデオテープの交換、又はその他必要な操作を行うことができる。
【００１５】
再生モードに対して動作ロックをかけた場合は以上のように動作するため、例えば店頭でのデモンストレーションとして比較的記録時間の長いビデオテープを再生させる場合や複数のビデオテープを順番に再生させたい場合に好適である。なお、操作パネル２にて再生指示が入力された後に動作ロックスイッチ１をオンにした場合も同様であり、再生状態では動作ロックがかけられ、テープ終端に達するとその状態で動作ロックが解除されると同時にテープ始端まで巻戻しが行われ、その後に停止する。
【００１６】
次に図２（ｂ）に示す録画モードとは、磁気テープへ映像信号を記録するモードである。この録画モードにより動作ロックを行う場合は、まず、動作ロックスイッチ１をオンにした後に、操作パネル２により録画指示を行う。ＶＴＲ本体１０は動作ロックがかけられたまま録画を行う為、録画状態で操作パネル２にて例えば停止指示が入力されてもその時の操作指示は受付けられない。
【００１７】
そして、録画しているビデオテープがテープ終端まで達するとその状態で動作ロックが解除されると同時にテープ始端まで巻戻しが行われ、その後に停止する。
この停止状態では、動作ロックが解除されている為、ユーザはビデオテープの交換、又はその他必要な操作を行うことができる。
なお、操作パネル２にて録画指示が入力された後に動作ロックスイッチ１をオンにした場合も同様に動作する。
【００１８】
また、リピート再生モードとは、図２（ｃ）に示す如くテープをテープ終端まで再生し、ビデオテープがテープ終端まで達すると、テープ始端までテープの巻戻しを行い、再び再生を開始するモードであるが、磁気テープ中の所定区間を予め設定し、この区間を１つの方向又は往復方向に繰り返し再生する方法であっても良い。この際、磁気テープ中の所定区間はタイマセットまたカウンタセットで設定できるものである。
【００１９】
このリピート再生モードにより動作ロックを行う場合は、まず、動作ロックスイッチ１をオンにした後に、操作パネル２により再生指示を所定時間以上入力する。ＶＴＲ本体１０は動作ロックがかけられたまま再生を行う為、再生状態で操作パネル２にて例えば停止指示が入力されてもその時の操作指示は受付けられない。
【００２０】
そして、再生しているビデオテープがテープ終端まで達するとテープ始端まで巻戻しが行われて再び再生が開始され、これらの動作が繰り返されることになるが、この間動作ロックが解除されることはない。リピート再生モードに対して動作ロックをかけた場合は以上のように動作するため、例えば店頭でのデモンストレーションとして比較的記録時間の短いビデオテープを繰り返し再生させる場合に好適である。なお、操作パネル２にてリピート再生指示が入力された後に動作ロックスイッチ１をオンにした場合も同様に動作する。
【００２１】
以上の如く、本発明の実施例に係る磁気記録再生装置では、動作ロックスイッチがオンのままであってもＶＴＲ本体１０が再生モード、録画モード、リピート再生モードのいずれかの動作モードに一旦設定されない限り、ビデオテープの排出、その他早送り、巻戻し等の操作をすることが可能である。
【００２２】
従って、例えば小売店やコンビニエンスストア等で営業終了後に店内の電源を落とし、翌日に電源を投入した状態を想定すると、この時ＶＴＲ本体１０は、停止状態にあり、動作ロックスイッチがオンであっても、磁気テープの出し入れ、磁気テープの早送り、巻戻し等の操作をすることができ、そして、その後操作パネル２にて再生指示、録画指示等を入力することにより、動作ロックをかけて再生モード又は録画モード等を開始させることができる為、非常に使い勝手が良い。
【００２３】
図３は、本発明の実施例に係る磁気記録再生装置の動作ロック制御を示す流れ図である。
ＶＴＲ本体１０は、まず電源がオンとされているか否かを判別し（Ｆ１０１）、電源がオンの場合には、動作ロックスイッチのオン・オフを判別する（Ｆ１０２）。
そして、動作ロックスイッチがオンの場合にのみ、これまでに説明した動作ロック機構が働くことになる。
【００２４】
即ち、ＶＴＲ本体１０は、動作モードが再生モードであるか否かを判別し（Ｆ１０３）、再生モードでない場合には、リピート再生モードであるか否かを判別し（Ｆ１０４）、リピート再生モードでない場合には、更に、録画モードであるか否かを判別する（Ｆ１０５）。
【００２５】
ここで、再生モード、リピート再生モード、録画モードのうちのいずれの動作モードでもないと判別された場合は、ＶＴＲ本体１０は、例えば停止状態、早送り、巻戻し状態等にあり、この状態ではまだ動作ロックは働いてなく、再度Ｆ１０１からの判別が繰り返される。
【００２６】
一方、ＶＴＲ本体１０が再生モードであると判別された場合には（Ｆ１０３）、次に、再生キーを所定時間以上入力することにより設定されるリピート再生指示の有無を判別することになる（Ｆ１０６）。
【００２７】
ここで、リピート再生指示があり、ＶＴＲ本体１０がリピート再生モードに設定されると（Ｆ１０７）、ＶＴＲ本体１０は、再びＦ１０１からＦ１０４までの判別を行った後に、再生キーを含む全ての操作キーの受付けを禁止する為（Ｆ１０９）、図２（ｃ）に示すように、再生と巻戻しとの動作を繰り返し行い、動作ロックスイッチがオフとされない限り（Ｆ１０２）、この状態ではいかなる操作キーも受付けない。
【００２８】
また、リピート再生指示がない場合は、ＶＴＲ本体１０は、再生キー以外の操作キーの受付けを禁止し（Ｆ１０８）、図２（ａ）に示すように、テープ終端まで磁気テープの再生を行う。
そして、磁気テープの再生中にリピート再生指示が与えられると（Ｆ１０６）、リピート再生モードにセットされ（Ｆ１０７）、ＶＴＲ本体１０は、既に説明したようなリピート再生モードで動作する。
【００２９】
また、ＶＴＲ本体１０が録画モードであると判別された場合には（Ｆ１０５）、ＶＴＲ本体１０は、再生キーを含む全ての操作キーの受付けを禁止し（Ｆ１０９）、図２（ｂ）に示すように、テープ終端まで映像信号の記録を行う。
そして、動作ロックスイッチがオフとされない限り（Ｆ１０２）、この状態ではいかなる操作キーも受付けない。
【００３０】
以上のように、動作ロックスイッチがオンの場合に、リピート再生モード及び録画モードでは、いかなる操作キーも受付けず、また、再生モードでは、再生キー以外の操作キーを受付けないが、動作ロックスイッチをオフに切り換えた場合には（Ｆ１０２）、ＶＴＲ本体１０の操作キーの受付け禁止が解除され、全ての操作キーが受付け可能となる（Ｆ１１０）。
【００３１】
次に、ＶＴＲ本体１０の録画モードの設定を外部機器からのリモート信号により制御可能とし、且つＶＴＲ本体１０の録画中のテープの残量時間がわずかになった時点で前記リモート信号を発信できるよう構成した場合のＶＴＲ本体１０の使用例を図４に示す。
図４に示すように、ＶＴＲ本体１０ａのリモート信号をＶＴＲ本体１０ｂが受信し、ＶＴＲ本体１０ｂのリモート信号をＶＴＲ本体１０ｃが受信し、ＶＴＲ本体１０ｃのリモート信号をＶＴＲ本体１０ａが受信するよう構成した場合、複数台のＶＴＲ本体１０による連続録画が可能となる。
【００３２】
即ち、図４におけるＶＴＲ本体１０ａの操作パネルにおいて録画モードが設定されると、ＶＴＲ本体１０ａは録画動作を開始し、テープの残量時間がわずかになった時点でリモート信号を発信する。そして、このリモート信号を受信したＶＴＲ本体１０ｂが録画モードに設定され、引き続き録画動作を開始する。
ＶＴＲ本体１０ａは、テープの終端まで録画を終えた後にテープ始端まで巻戻しを行い、停止状態で再び録画モードが設定されるまで待機することになる。
【００３３】
ＶＴＲ本体１０ａからのリモート信号により録画を開始したＶＴＲ本体１０ｂは、テープの残量時間がわずかになった時点でリモート信号を発信し、このリモート信号を受信したＶＴＲ本体１０ｃが録画モードに設定される。そして、ＶＴＲ本体１０ｃは、そのテープの残量時間がわずかになった時点でリモート信号を発信し、このリモート信号を受信したＶＴＲ本体１０ａが再び録画モードに設定される。
【００３４】
このように、ＶＴＲ本体１０ａ、１０ｂ、１０ｃの順に録画動作が連続的に行われ、ユーザが新たに操作指示を与えない限り録画動作が繰り返される。そして、この時予め各ＶＴＲ本体のおける動作ロックスイッチをオンにしておくことによりユーザが誤って操作パネルに触れた場合でも録画モードが解除されるのを防ぐことができる。
【００３５】
なお、以上の実施例では、操作パネル２において、再生モードを設定する為の操作キーとリピート再生モードを設定する為の操作キーとを共用した為、動作ロックスイッチがオンであっても再生モードからリピート再生モードへ移行できる例を示したが、操作パネル２において、再生モード、録画モード、リピート再生モードを設定する為の操作キーを別々に設けた場合には、再生モード、録画モード、リピート再生モードのうちのいずれかの動作モードが設定された場合には、全ての操作キーの受付けが禁止されるよう構成される。
【００３６】
【発明の効果】
本発明に係る再生装置では、再生モード、リピート再生モード等の特定の動作モードに設定された時のみ動作ロックが働く動作ロック機構を備えている為、設定された動作モードが誤って解除されることを防止できる。
また、動作モードが再生モード、リピート再生モード以外のモードの時は、動作ロックスイッチをオンにしたままで、再生モード、リピート再生モードに移行できる為、煩わしい動作モードスイッチの切り換えをする必要がなく使い勝手が良い。
【図面の簡単な説明】
【図１】本発明の実施例に係る磁気記録再生装置の構成を説明する為のブロック図である。
【図２】動作ロックスイッチ１をオンにした時のＶＴＲ本体１０の動作を説明する為の説明図である。
【図３】本発明の実施例に係る磁気記録再生装置の動作ロック制御を示す流れ図である。
【図４】ＶＴＲ本体１０を複数台使用した連続録画を説明する為の説明図である。
【符号の説明】
１…動作ロックスイッチ
２…操作パネル
３…マイコン
４…動作制御回路
１０、１０ａ、１０ｂ、１０ｃ…ＶＴＲ本体
【図１】
0003613967.tif 000002
【図４】
0003613967.tif 000003
【図２】
0003613967.tif 000004
【図３】
0003613967.tif 000005